(57)【要約】【課題】吹出口からの吹出風により得られる快適性を向上することが可能な吹出口装置を提供すること。【解決手段】吹出口装置２０は、車室２内に向かって空気を吹き出すための吹出口３２が形成され、車室２内に臨む壁面３に沿ってスライド可能なスライドプレート３１を備えている。これによると、車室２内に在室する人の位置に応じてスライドプレート３１をスライドさせて、吹出口３２の位置を壁面３に沿って移動させることができる。したがって、吹出風の吹出位置を人の位置に応じて変更することができる。【選択図】図３
2018140713.tif 000002
【特許請求の範囲】
【請求項１】
室内に向かって空気を吹き出すための吹出口（３２）が形成され、前記室内に臨む壁面（３）に沿ってスライド可能なスライドプレート（３１）を備える吹出口装置。
【請求項２】
前記吹出口に設けられ、前記吹出口から吹き出す吹出風の吹出方向を偏向可能な可動式の偏向部材（５２）を備える請求項１に記載の吹出口装置。
【請求項３】
前記スライドプレートに対して積層配置され、前記スライドプレートに沿って前記スライドプレートのスライド方向と同一方向にスライド可能な積層プレート（４１）を備え、
前記積層プレートには、一部が前記吹出口と連通し、残部が前記スライドプレートにより閉塞される連通開口（４２）が形成されている請求項１又は請求項２に記載の吹出口装置。
【請求項４】
前記室内に在室する人体の位置情報又はその関連情報を検出する位置情報検出器（９１）と、
前記スライドプレートをスライド移動させるアクチュエータ（９２）と、
前記位置情報検出器が検出する情報に基づいて、前記アクチュエータを作動制御する制御装置（９０）と、を備える請求項１から請求項３のいずれか一項に記載の吹出口装置。
【請求項５】
前記位置情報検出器は、前記人体が着座するシート（５Ｂ）の位置情報を前記関連情報として検出する請求項４に記載の吹出口装置。
【請求項６】
前記室内は、移動体（１）に形成された部屋（２）の内部である請求項１から請求項５のいずれか一項に記載の吹出口装置。
【発明の詳細な説明】
【技術分野】
【０００１】
ここに開示される技術は、室内に向かって空気を吹き出すための吹出口装置に関する。
【背景技術】
【０００２】
従来から、空調装置等からの送風空気を吹出口から室内へ吹き出す吹出口装置がある。このような吹出口装置では、例えば送風通路を形成するダクト部に吹出口が形成され、吹出口に可動式ルーバ等の偏向部材が設けられている。この偏向部材の向きを調整することにより、吹出口からの吹出風の吹出方向を偏向可能となっている。このような吹出口装置は、例えば下記特許文献１に開示されている。
【先行技術文献】
【特許文献】
【０００３】
【特許文献１】特開２０１１−１４８３５３号公報
【発明の概要】
【発明が解決しようとする課題】
【０００４】
しかしながら、上記従来技術の吹出口装置では、室内に在室する人が大きく移動した場合等には、偏向部材の向きを最大偏向位置にまで移動させても、吹出口から在室する人に向けて空気を吹き出すことができないことがある。このようなときには、在室する人が十分な快適性を得難い場合があるという問題がある。
【０００５】
ここに開示される技術は、上記点に鑑みてなされたものであり、吹出口からの吹出風により得られる快適性を向上することが可能な吹出口装置を提供することを目的とする。
【課題を解決するための手段】
【０００６】
上記目的を達成するため、開示される吹出口装置では、
室内に向かって空気を吹き出すための吹出口（３２）が形成され、室内に臨む壁面（３）に沿ってスライド可能なスライドプレート（３１）を備えている。
【０００７】
これによると、室内に在室する人の位置に応じてスライドプレートをスライドさせて、吹出口の位置を壁面に沿って移動させることができる。したがって、吹出風の吹出位置を人の位置に応じて変更することができる。このようにして、吹出口からの吹出風により得られる快適性を向上することが可能となる。
【０００８】
なお、特許請求の範囲およびこの項に記載した括弧内の符号は、ひとつの態様として後述する実施形態に記載の具体的手段との対応関係を示すものであって、開示技術の範囲を限定するものではない。
【図面の簡単な説明】
【０００９】
【図１】第１実施形態に係る吹出口装置を備える空調装置を搭載した車両を模式的に示す構成図である。
【図２】第１実施形態の吹出口装置の正面図である。
【図３】図２のＩＩＩ−ＩＩＩ線断面図である。
【図４】第１実施形態の吹出口装置の作動制御構成を示すブロック図である。
【発明を実施するための形態】
【００１０】
以下に、図面を参照しながら開示技術を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した形態と同様とする。実施の各形態で具体的に説明している部分の組合せばかりではなく、特に組合せに支障が生じなければ、実施の形態同士を部分的に組み合せることも可能である。
【００１１】
（第１実施形態）
開示技術を適用した第１実施形態について、図１〜図４を参照して説明する。本実施形態では、吹出口装置を移動体の一例である車両に搭載される空調装置の空調空気吹出部に適用している。なお、説明に用いる図面における上、下、前、後、左、右等を示す矢印は、車両搭載状態における各方向を示している。
【００１２】
図１に例示する車両１は、車室２内に３列のシート５を設けた車両であり、１列の前席シート５Ａと、２列の後席シート５Ｂとを備えている。空調装置１０は、後席領域を空調するための装置であり、本体ユニット１１、ダクト１２及び吹出口装置２０を備えている。本体ユニット１１は、車両１後方の角部に設けられている。本体ユニット１１は、ケース内に冷却用熱交換器と加熱用熱交換器とを有し、ケース内を流れる空気を温度調節する。
【００１３】
本体ユニット１１の空気吹出開口部には、ダクト１２が接続しており、本体ユニット１１の空気吹出開口部から吹き出された空調空気がダクト１２内を流れる。ダクト１２は、図１に示すように、後席シート５Ｂを取り囲むように配設されている。ダクト１２の空気流れ下流側の部分は、車両１のルーフパネルの下方側においてルーフパネル近傍に配置されて、コの字状に延在している。ダクト１２は、車両１の最後部において左右方向に延びる第１部分と、車両１の側方部において第１部分の両端部から前方側に向かって延びる一対の第２部分とを有している。ダクト１２の第２部分に、本例ではそれぞれ２つの吹出口装置２０が設けられている。ダクト１２には、シート５配設位置に対応した所定位置に、車両１に対して変位しない複数の開口１２Ａが形成されており、それぞれの開口１２Ａに吹出口装置２０が配設されている。
【００１４】
ダクト１２は、車両１の外装パネルと内装パネルとの間に設けられている。ダクト１２は、表面に内装用の意匠層を設けることで、一部を内装パネルと共用することができる。開口１２Ａは、ダクト１２のうち、車室２に臨む面部に開口している。車室２は、移動体に形成された部屋に相当し、車室２の内部が室内に相当する。吹出口装置２０は、車室２内に向かって空気を吹き出すための装置である。４つの吹出口装置２０のうちの２つは、２列目の後席シート５Ｂの両側に設けられ、この後席シート５Ｂに着座した乗員に向かって空調風を吹き出す。４つの吹出口装置２０のうちの残りの２つは、３列目の後席シート５Ｂの両側に設けられ、この後席シート５Ｂに着座した乗員に向かって空調風を吹き出す。本例では、４つの吹出口装置２０は同一の構成を有している。以下、代表して車両１の右方側に配置された吹出口装置２０について説明する。
【００１５】
図２及び図３に示すように、吹出口装置２０は、スライドプレート３１、積層プレートユニット４０、及び吹出グリル５０を備える。スライドプレート３１は、例えば樹脂製の矩形状プレート部材であり、中央部に矩形状の吹出口３２が開口している。車室２内に向かって空気を吹き出すための吹出口３２には、吹出グリル５０が装着されている。吹出グリル５０は、いずれも例えば樹脂製の、枠体５１、複数のルーバ５２、リンク機構５３、及び調整つまみ５４を備える。
【００１６】
枠体５１は、吹出口３２の開口形状に対応した筒状体であり、吹出口３２に嵌め込まれて内側が空気通路となる。したがって、吹出口３２に挿設された枠体５１の内方が、実質的な吹出口である。ルーバ５２は、上下方向に延びる板部材であり、上下両端の中央部が枠体５１に回転自在に支持されている。複数のルーバ５２は、互いに同一形状をなしており、車両前後方向に所定間隔を空けて配列されている。複数のルーバ５２のグリル空気流れ上流側の端部、すなわちダクト１２側の端部がリンク機構により相互に接続されている。配列された複数のルーバ５２のうち、中央に配置されたルーバ５２には、グリル空気流れ下流側の端部、すなわち車室２側の端部に調整つまみ５４が設けられている。したがって、乗員等が調整つまみ５４を操作することにより、複数のルーバ５２の角度を一括して変更することができる。ルーバ５２は、吹出口から吹き出す吹出風の吹出方向を偏向可能な可動式の偏向部材である。
【００１７】
ダクト１２とスライドプレート３１との間には、積層プレートユニット４０が配設されている。積層プレートユニット４０は、複数の積層プレートにより構成されている。本例では、積層プレートユニット４０は、２枚の積層プレート４１、４６により構成されている。積層プレート４１、４６は、スライドプレート３１と同様に、例えば樹脂製の矩形状プレート部材である。積層プレート４１、４６は、スライドプレート３１、積層プレート４１、積層プレート４６、ダクト１２の車室側の壁部の順に並ぶように積層配置されている。
【００１８】
第１積層プレートである積層プレート４１は、車両上下方向の寸法がスライドプレート３１とほぼ同一であり、車両前後方向の寸法がスライドプレート３１よりも大きくなっている。積層プレート４１の中央部には矩形状の連通開口４２が開口している。連通開口４２は、車両上下方向の寸法が吹出口３２とほぼ同一であり、車両前後方向の寸法が吹出口３２よりも大きくなっている。積層プレート４１には、車室２側の面に車両前後方向に延びる案内溝４３が形成されている。スライドプレート３１のダクト１２側の面には、案内溝４３に遊びを持って嵌まり込んで係止する突起部が形成されている。この突起部と案内溝４３との案内構成により、スライドプレート３１は、積層プレート４１に対してスライド移動が可能となっている。
【００１９】
スライドプレート３１が積層プレート４１に対してスライドして位置を変更しても、連通開口４２は、常にスライドプレート３１の延在範囲内に収まるようになっている。また、スライドプレート３１が積層プレート４１に対してスライドして位置を変更しても、吹出口３２は、全域が常に連通開口４２と重なるようになっている。すなわち、連通開口４２は、常に、一部が吹出口３２と連通し、残部がスライドプレート３１により閉塞されるように形成されている。
【００２０】
第２積層プレートである積層プレート４６は、車両上下方向の寸法が積層プレート４１とほぼ同一であり、車両前後方向の寸法が積層プレート４１よりも大きくなっている。積層プレート４６の中央部には矩形状の連通開口４７が開口している。連通開口４７は、車両上下方向の寸法が連通開口４２とほぼ同一であり、車両前後方向の寸法が連通開口４２よりも大きくなっている。積層プレート４６には、車室２側の面に車両前後方向に延びる案内溝４８が形成されている。積層プレート４１のダクト１２側の面には、案内溝４８に遊びを持って嵌まり込んで係止する突起部が形成されている。この突起部と案内溝４８との案内構成により、積層プレート４１は、積層プレート４６に対してスライド移動が可能となっている。
【００２１】
積層プレート４１が積層プレート４６に対してスライドして位置を変更しても、連通開口４７は、常に積層プレート４１の延在範囲内に収まるようになっている。また、積層プレート４１が積層プレート４６に対してスライドして位置を変更しても、連通開口４２は、全域が常に連通開口４７と重なるようになっている。すなわち、連通開口４７は、常に、一部が連通開口４２と連通し、残部が積層プレート４１により閉塞されるように形成されている。
【００２２】
ダクト１２に形成された開口１２Ａは、車両上下方向の寸法が連通開口４７とほぼ同一であり、車両前後方向の寸法が連通開口４７よりも大きくなっている。ダクト１２には、車室２側の面に車両前後方向に延びる案内溝１２Ｂが形成されている。積層プレート４６のダクト１２側の面には、案内溝１２Ｂに遊びを持って嵌まり込んで係止する突起部が形成されている。この突起部と案内溝１２Ｂとの案内構成により、積層プレート４６は、ダクト１２に対してスライド移動が可能となっている。
【００２３】
積層プレート４６がダクト１２に対してスライドして位置を変更しても、開口１２Ａは、常に積層プレート４６の延在範囲内に収まるようになっている。また、積層プレート４６がダクト１２に対してスライドして位置を変更しても、連通開口４７は、全域が常に開口１２Ａと重なるようになっている。すなわち、開口１２Ａは、常に、一部が連通開口４７と連通し、残部が積層プレート４６により閉塞されるように形成されている。
【００２４】
上述した構成により、スライドプレート３１、積層プレート４１、及び積層プレート４６は、いずれも同一方向にスライド可能となっている。本例では、スライドプレート３１、積層プレート４１、及び積層プレート４６は、いずれも車両前後方向にスライド可能となっている。スライドプレート３１、積層プレート４１、及び積層プレート４６は、いずれも車室２に臨む壁面３に沿って、同一方向にスライド可能となっている。なお、各プレート及びダクト間に形成される案内機構は、上記した構成に限定されるものではなく、他の案内構成を採用することができる。また、積層プレートユニット４０を構成する積層プレートは２枚に限定されず、１枚または３枚以上であってもよい。本例では、積層プレート４１が、スライドプレートに対して積層配置され、スライドプレートに沿ってスライドプレートのスライド方向と同一方向にスライド可能な積層プレートに相当する。
【００２５】
図４に示すように、本実施形態の吹出口装置は、制御装置９０、シート位置センサ９１、及びアクチュエータ９２を備えている。シート位置センサ９１は、シートレール６上を移動するシート５Ｂの位置を検出する。シート位置センサ９１は、検出した位置情報を制御装置９０へ出力する。制御装置９０は、入力したシート５Ｂの位置情報に基づいて、アクチュエータ９２に対して駆動信号を出力してアクチュエータ９２を作動制御する。制御装置９０は、アクチュエータ９２から作動位置に関する情報を入力する。アクチュエータ９２は、制御装置９０からの駆動信号に基づいて作動し、スライドプレート３１をスライド移動させる。
【００２６】
制御装置９０は、シート５Ｂの位置に対応してスライドプレート３１が位置付けられるように、アクチュエータ９２を作動制御する。制御装置９０は、シート５Ｂが車両前方側へ移動したときには、スライドプレート３１も車両前方側へ移動するようにアクチュエータ９２を制御する。また、シート５Ｂが車両後方側へ移動したときには、スライドプレート３１も車両後方側へ移動するようにアクチュエータ９２を制御する。
【００２７】
シート位置センサ９１は、車室２内に在室する人体の位置情報又はその関連情報を検出する位置情報検出器の一例である。シート位置センサ９１は、人体が着座するシート５Ｂの位置情報を人体の位置情報の関連情報として検出する。位置情報検出器はシート位置センサ９１に限定されるものではない。位置情報検出器は、例えば人体の位置情報を直接検出する赤外線センサであってもよい。
【００２８】
本実施形態の吹出口装置２０によれば、以下に述べる効果を得ることができる。
【００２９】
吹出口装置２０は、車室２内に向かって空気を吹き出すための吹出口３２が形成され、車室２内に臨む壁面３に沿ってスライド可能なスライドプレート３１を備えている。これによると、車室２内に在室する人の位置に応じてスライドプレート３１をスライドさせて、吹出口３２の位置を壁面３に沿って移動させることができる。したがって、吹出風の吹出位置を人の位置に応じて変更することができる。このようにして、吹出口３２からの吹出風により得られる快適性を向上することが可能となる。
【００３０】
また、吹出口３２に設けられ、吹出口３２から吹き出す吹出風の吹出方向を偏向可能な可動式の偏向部材としてルーバ５２を備えている。これによると、スライドプレート３１のスライドによる吹出口３２の位置の変更に加えて、ルーバ５２の調整によって吹出風の吹出方向を変更することができる。したがって、吹出口３２からの吹出風の吹出方向を人の位置に応じて確実に変更することができ、吹出口３２からの吹出風により得られる快適性を確実に向上することが可能となる。
【００３１】
また、吹出口装置２０は、スライドプレート３１に対して積層配置され、スライドプレート３１に沿ってスライドプレート３１のスライド方向と同一方向にスライド可能な積層プレート４１を備えている。そして、積層プレート４１には、一部が吹出口３２と連通し、残部がスライドプレート３１により閉塞される連通開口４２が形成されている。
【００３２】
これによると、連通開口４２と吹出口３２とが連通した状態を維持して、積層プレート４１とスライドプレート３１とを同じ方向にスライドさせて、吹出口３２の位置を壁面３に沿って大きく移動させることが可能である。したがって、吹出風の吹出位置を人の位置に応じて大きく変更することができる。また、吹出口３２の位置を大きく移動させるための構成を、スライドする積層プレートにより提供しているので、屈曲部の角度を変更するような可変屈曲構造がなく耐久性に優れる。
【００３３】
また、車室２側から順に、スライドプレート３１、積層プレート４１、積層プレート４６、ダクト１２の車室側の壁と積層配置しているので、吹出口装置２０がダクト１２内へ突出し難く、ダクト１２内の空気通路の確保が容易である。
【００３４】
また、車室２内に在室する人体の位置情報又はその関連情報を検出する位置情報検出器としてシート位置センサ９１を備えている。さらに、スライドプレート３１をスライド移動させるアクチュエータ９２と、位置情報検出器が検出する情報に基づいて、アクチュエータ９２を作動制御する制御装置９０とを備えている。
【００３５】
これによると、位置情報検出器の検出結果に基づいて制御装置９０がアクチュエータ９２を作動させて、スライドプレート３１をスライド移動させることができる。したがって、車室２内に在室する人の位置に応じて、吹出口３２の位置を壁面３に沿って自動的に移動させることができる。また、位置情報検出器は、人体が着座するシート５Ｂの位置情報を車室２内に在室する人体の位置情報の関連情報として検出する。これによると、車室２内に在室する人の位置を簡易に検出することができる。
【００３６】
また、車室２内は、移動体である車両１に形成された部屋の内部である。移動体に形成された部屋の内部では、部屋に臨む壁面と人との距離が比較的小さくなり易い。したがって、移動体の室内に向かって空気を吹き出すための吹出口装置に本開示技術を適用することは極めて有効である。すなわち、移動体の部屋の吹出口装置に、スライドプレートをスライドさせて吹出口の位置を壁面に沿って移動させる構成を適用することは極めて有効である。
【００３７】
また、移動体、特に自動車等の車両においては、シートの位置を変更する構成が用いられることが多い。したがって、車室２内に在室する人体の位置情報の関連情報を検出する位置情報検出器としてシート位置センサ９１を採用することは極めて有効である。
【００３８】
（他の実施形態）
この明細書に開示される技術は、その開示技術を実施するための実施形態に何ら制限されることなく、種々変形して実施することが可能である。開示される技術は、実施形態において示された組み合わせに限定されることなく、種々の組み合わせによって実施可能である。実施形態は追加的な部分をもつことができる。実施形態の部分は、省略される場合がある。実施形態の部分は、他の実施形態の部分と置き換え、または組み合わせることも可能である。実施形態の構造、作用、効果は、あくまで例示である。開示技術の技術的範囲は、実施形態の記載に限定されない。開示技術のいくつかの技術的範囲は、特許請求の範囲の記載によって示され、さらに特許請求の範囲の記載と均等の意味及び範囲内での全ての変更を含むものと解されるべきである。
【００３９】
上記実施形態では、スライドプレート３１のスライド方向は、車両前後方向であったが、これに限定されるものではない。例えば、スライドプレートのスライド方向を車両上下方向としてもよい。また、吹出口装置の配設位置も上記実施形態で説明した位置に限定されるものではない。例えば、吹出口装置を車両のピラーに設け、ピラーの延在方向にスライドプレートをスライドさせるものであってもよい。また、スライドプレートのスライド方向は、一方向に限定されず、壁面に沿って複数の方向にスライド変位が可能であってもかまわない。
【００４０】
また、上記実施形態では、吹出口３２に可動式の偏向部材としてのルーバ５２を設けていたが、これに限定されるものではなく、ルーバ以外の可動式偏向部材を用いてもよい。また、吹出口に可動式の偏向部材を設けず、固定式のルーバ等の偏向部材を設けてもかまわない。
【００４１】
また、上記実施形態では、スライドプレート３１と共にスライドする積層プレートをスライドプレートとダクトとの間に設けていたが、これに限定されるものではない。積層プレートをスライドプレートよりも車室側に設けてもかまわない。例えば、車室２側から順に、ダクト１２の車室側の壁、積層プレート４６、積層プレート４１、スライドプレート３１と積層配置すれば、吹出口装置の車室２への突出を抑制することができる。
【００４２】
また、上記実施形態では、吹出口３２を大きくスライド移動させるための構成を積層プレート用いて提供していたが、これに限定されるものではない。例えば、蛇腹構造等の屈曲部の角度を変更可能な屈曲構造体を採用してもかまわない。また、積層プレート等を用いずに、スライドプレート３１のみで吹出口３２の位置を壁面に沿ってスライド移動させるものであってもよい。
【００４３】
また、上記実施形態では、可動式の偏向部材であるルーバ５２は、手動操作により吹出風の吹出方向を偏向させるものであったが、これに限定されるものではない。例えば、制御装置９０による制御により、ルーバ５２をスライドプレート３１と連動させて自動変位させてもよい。
【００４４】
また、上記実施形態では、制御装置９０による制御によってスライドプレート３１を自動変位させるものであったが、これに限定されるものではない。スライドプレート３１を手動操作により壁面３に沿って変位させるものであってもよい。
【００４５】
また、上記実施形態では、吹出口装置を移動体の一例である車両に搭載される空調装置の空調空気吹出部に適用した場合について説明したが、開示した吹出口装置は、車両用空調装置以外に用いてもかまわない。開示した吹出口装置は、車両以外の移動体、例えば、航空機や船舶等の空調装置の空気吹出部に適用してもよい。また、例えば、建物等に設置する定置式空調装置の空気吹出部に適用してもよい。また、空調装置の空気吹出部ではなく、例えば、送風装置の空気吹出部に適用してもかまわない。
【符号の説明】
【００４６】
１  車両（移動体）
２  車室（部屋）
３  壁面
２０  吹出口装置
３１  スライドプレート
３２  吹出口
４１  積層プレート
５０  吹出グリル
５２  ルーバ（偏向部材）
【図１】
2018140713.tif 000003
【図２】
2018140713.tif 000004
【図３】
2018140713.tif 000005
【図４】
2018140713.tif 000006